(57)【特許請求の範囲】
【請求項１】
同位相配置の一対の平面(2)の外周縁(3)同士が周面(4)で繋がったブロック体(1)を形成しており、その軸線(X)と平行に該周面(4)に鉄筋受け用の凹部(5)が設けられ、
該凹部に対する背向面(6)が型枠(P)との接触面となっており、
該平面(2)は、自身の外周が該各凹部(5)と接近状態にあって該各凹部(5)ごとに独立している凹面(7)を有し、
該凹面(7)に該凹部(5)の近傍でカブリ寸法や商標などの表示(8)が該平面(2)の水準(L)内で立設されている
ことを特徴とする表示付きスペーサー。
【請求項２】
該凹面(7)は該凹部(5)に続いている請求項１に記載の表示付きスペーサー。
【請求項３】
該凹面(7)は傾斜面(9)で該平面(2)に続いている請求項１又は２に記載の表示付きスペーサー。
【請求項４】
該表示(8)の外周面は傾斜面(31)で該凹面(7)に続いている請求項１、２又は３に記載の表示付きスペーサー。
【請求項５】
該表示(8)の内周面は傾斜面(32)で該凹面(7)に続いている請求項１、２、３又は４に記載の表示付きスペーサー。
【発明の詳細な説明】
【技術分野】
【０００１】
本発明は鉄筋コンクリート構造物において鉄筋と構造物表面間にコンクリートのカブリを確保するために使用される表示付きスペーサーに関する。
【背景技術】
【０００２】
スペーサーには種々のものが開発され、多方面で使用されている。カブリ寸法も多種あり、一つのスペーサーで複数のカブリ寸法に適応させたものもある。このようなスペーサーで、スペーサー自体が小さいものの場合、鉄筋をどの凹部に支持させたら所定のカブリ寸法が得られるのか、作業現場での判断に大変手間取っている。そこで、特許第３７３２２０２号公報や特開２００５−３５１０８３号公報に見られるように、カブリ寸法の表示をスペーサーの表面に凹設したものが開発されている。
【特許文献１】特許第３７３２２０２号公報
【特許文献２】特開２００５−３５１０８３号公報
【０００３】
寸法表示が凹設されたものは、表示の真正面から見る場合はともかく、側面や、少し離れた場所から見ると甚だ判別しにくい。
本発明はカブリ寸法の表示が認識し易いスペーサーを提供することを目的とする。
本発明の他の目的は、表示が衝撃等によって簡単に欠落することのないスペーサーを提供することにある。
【発明の開示】
【課題を解決するための手段】
【０００４】
（請求項１）本発明に係るスペーサーは、同位相配置の一対の平面の外周縁同士が周面で繋がったブロック体を形成している。その軸線と平行に該周面に鉄筋受け用の凹部が設けられ、該凹部に対する背向面が型枠との接触面となっている。該平面は自身の外周が該各凹部と接近状態にあって該各凹部(5)ごとに独立している凹面を有している。そして、該凹面に該凹部の近傍でカブリ寸法の表示が該平面の水準内で立設されている。
【０００５】
ブロック体の外形はＳ形、三角形、四角形、五角形等、種々あるが、四角形が一般的である。鉄筋を受ける凹部の底面と、この凹部に対する背向面間の寸法がコンクリートのかぶり寸法となっている。
【０００６】
スペーサーを凹部で鉄筋に取り付け、この凹部と反対側の面を型枠にあてがう。スペーサーの型枠に対する接触面は平坦な場合もあるが、鉄筋受け用の凹部を挟んで両側に曲率半径を有する弧面を形成した場合は、両弧面の母線が接触縁となる。型枠内にコンクリートを充填し、これが固化すれば型枠を外し、製品を得る。鉄筋は製品の表面からスペーサーで確保されたコンクリートのカブリ寸法分だけ内側に埋設されるので、雨水や化学薬品等の影響を防止できる。
【０００７】
該平面は自身の外周が該各凹部と接近状態にあって該各凹部(5)ごとに独立している凹面を有し、該凹面に該凹部の近傍でカブリ寸法の表示が該平面の水準内で立設されているので、該平面に占める凹面の面積の割合が少なくなり、表示が見易く、手で触れても判断でき、衝撃は平面が受けて表示を確実に保護するので欠けたりせず、カブリ寸法の確認を簡単かつ正確に行える。
【０００８】
（請求項２）該凹面は該凹部に続いていてもよい。
こうすると、該凹面の面積を広くとれ、小型のスペーサーにあっても表示の明確化を果たせる。
【０００９】
（請求項３）該凹面は傾斜面で該平面に続いていてもよい。
こうすると、該表面と該凹面が鈍角を持って連結するので、連結部分が衝撃で欠けたりしない。
【００１０】
（請求項４）該表示の外周面は傾斜面で該凹面に続いていてもよい。
こうすると、該表示の外周面が補強され、該表示に直接的に衝撃力が加わっても欠けたりせず、表示機能を十分に果たせる。  
【００１１】
（請求項５）該表示の内周面は傾斜面で該凹面に続いていてもよい。
こうすると、該表示の内周面が補強されるので、該表示の内周面に衝撃力が加わっても、十分に耐え、表示機能を全うする。
【発明の効果】
【００１２】
（請求項１）本発明によれば、同位相配置の一対の平面の外周縁同士が周面で繋がったブロック体を形成しており、その軸線と平行に鉄筋受け用の凹部が設けられ、該凹部に対する背向面が型枠との接触面となっており、該平面は、自身の外周が該各凹部と接近状態にあって該各凹部(5)ごとに独立している凹面を有し、該凹面に該凹部の近傍でカブリ寸法の表示が該平面の水準内で立設されているので、該平面に占める凹面の面積の割合が少なくなり、表示が見易く、手で触れても判断でき、多少の衝撃を受けても該縁取り部を確実に保護するので欠けたりせず、カブリ寸法の確認を簡単かつ正確に行える。
【００１３】
請求項２によれば、該凹面は該凹部に続いているので、該凹面の面積を広くとれ、小型のスペーサーにあっても表示の明確化を果たせる。
【００１４】
請求項３によれば、該凹面は傾斜面で該平面に続いているので、該表面と該凹面が鈍角を持って連結するので、連結部分が衝撃で欠けたりしない。
【００１５】
請求項４によれば、該表示の外周面は傾斜面で該凹面に続いているので、該表示の外周面が補強され、該表示に直接的に衝撃力が加わっても欠けたりせず、表示機能を十分に果たせる。
【００１６】
請求項５によれば、該表示の内周面は傾斜面で該凹面に続いているので、該表示の内周面が補強され、該表示の内周面に衝撃力が加わっても、十分に耐え、表示機能を全うする。
【発明を実施するための最良の形態】
【００１７】
以下の説明で同一符号は同一もしくは相応部分を示す。
（請求項１）図１は本発明に係るスペーサーの具体例を示す使用状態の斜面図、図２は図１の２−２線断面図、図３は本発明に係るスペーサーの別の例の斜面図である。１はブロック体で、同位相配置の一対の平面２の外周縁３同士が周面４で繋がった形状となっている。その軸線Ｘと平行に周面４に鉄筋Ｔの受け用の凹部５が設けられ、これらの凹部５に対する背向面６が型枠Ｐとの接触面となっている。平面２は自身の外周が凹部５と接近状態にあって該各凹部(5)ごとに独立している凹面７を有し、凹面７に凹部５の近傍でカブリ寸法Ｓや商標等の表示８が平面２の水準Ｌ内で立設されている。Ｈは結束材の挿通孔である。
【００１８】
スペーサーを凹部５で鉄筋Ｔに取り付け、この凹部５に対する背向面６を型枠Ｐにあてがう。型枠Ｐが鉛直面や傾斜面の場合、必要に応じて挿通孔Ｈに針金等の結束材を通して両者を結束する。スペーサーの型枠Ｐに対する接触面は平坦な場合もあるが、図示の例のように、背向面６を挟んで両側に曲率半径を有する弧面２１、２２を形成した場合は、両弧面２１、２２の母線での線接触となる。型枠Ｐ内にコンクリートを充填し、これが固化すれば型枠Ｐを外し、製品を得る。鉄筋Ｔは製品の表面からスペーサーで確保されたコンクリートのカブリ寸法分だけ内側に埋設されるので、雨水や化学薬品等の影響を防止できる。
【００１９】
平面２は自身の外周が該各凹部５と接近状態にあって該各凹部(5)ごとに独立している凹面７を有し、凹面７に凹部５の近傍でカブリ寸法の表示８が平面２の水準Ｌ内で立設されているので、平面２に占める凹面７の面積の割合が少なくなり、表示が見易く、手で触れても判断でき、衝撃は平面２が受けて表示８を確実に保護するので欠けたりせず、カブリ寸法の確認を簡単かつ正確に行える。
【００２０】
（請求項２）凹面７は凹部５に続いている。
この場合、凹面７の面積を広くとれ、小型のスペーサーにあっても表示８の明確化を果せる。
【００２１】
（請求項３）凹面７は傾斜面９で平面２に続いている。
この場合、平面２と凹面７が鈍角を持って連結するので、連結部分が衝撃で欠けたりしない。
【００２２】
（請求項４）表示８の外周面は傾斜面３１で凹面７に続いている。
この場合、表示８の外周面は傾斜面３１で補強されるので、スペーサーの取扱中に表示８に衝撃力が加わっても、欠けたりせず、表示機能を果たす。  
【００２３】
（請求項５）表示８の内周面は傾斜面３２で凹面７に続いている。
この場合、表示８の内周面は傾斜面３２で補強されるので、スペーサーの取扱中に表示８の内周面に衝撃力が加わっても、欠けたりせず、表示機能を全うする。
【図面の簡単な説明】
【００２４】
【図１】本発明にかかる表示付きスペーサーの具体例を示す使用状態の斜面図である。
【図２】図１の２−２線断面図である。
【図３】本発明にかかる表示付きスペーサーの別の具体例を示す斜面図である。
【図４】本発明にかかる表示付きスペーサーの更に別の具体例を示す斜面図である。
【図５】図４の５−５線断面図である。
【図６】図５と同様の図で、表示の内側にも傾斜面を設けた例である。
【図７】表示の詳細図である。
【符号の説明】
【００２５】
１    ブロック体
２    平面
３    外周縁
４    周面
５    凹部
６    背向面
７    凹面
８    表示
９    傾斜面
Ｘ    軸線
Ｔ    鉄筋
Ｐ    型枠
Ｌ    水準
Ｓ    カブリ寸法
２１  弧面
２２  弧面
３１  傾斜面
３２  傾斜面
【図１】
0005105606.tif 000002
【図２】
0005105606.tif 000003
【図３】
0005105606.tif 000004
【図４】
0005105606.tif 000005
【図５】
0005105606.tif 000006
【図６】
0005105606.tif 000007
【図７】
0005105606.tif 000008